(57)【要約】【課題】山部を有していても厚み方向への反り変形を生じさせない建築用パネルを提供する。【解決手段】２枚の金属外皮２，３の間に樹脂芯材４を充填すると共に一方の金属外皮２に外方に突出する山部５が形成されて成る建築用パネル１である。山部５の内側面部と山部５内に充填された樹脂芯材４との間に離型材料７を介装する。【選択図】図１
2007321424.tif 000002
【特許請求の範囲】
【請求項１】
２枚の金属外皮の間に樹脂芯材を充填すると共に一方の金属外皮に外方に突出する山部が形成されて成る建築用パネルであって、山部の内側面部と山部内に充填された樹脂芯材との間に離型材料を介装したことを特徴とする建築用パネル。
【請求項２】
上記離型材料を、金属板材で構成したことを特徴とする請求項１記載の建築用パネル。
【請求項３】
上記離型材料を、山部の内側面に塗布した離型剤で構成したことを特徴とする請求項１記載の建築用パネル。
【発明の詳細な説明】
【技術分野】
【０００１】
本発明は、サンドイッチ構造の建築用パネルに関するものである。
【背景技術】
【０００２】
従来から、２枚の金属外皮２，３の間に樹脂芯材４を充填して成るサンドイッチ構造の建築用パネル１には、図３のように、隣接する建築用パネル１同士を連結させたり、意匠性を向上させたりする等の理由から、パネル前面を構成する金属外皮２を外方に折り曲げて山部５を突出形成することが行われている（たとえば特許文献１参照）。
【０００３】
ところで、このサンドイッチ構造の建築用パネル１にあって樹脂芯材４は、溶融状態で金属外皮２，３間に充填した後に冷却、固化するのであって、この冷却過程で充填時の体積から多少の収縮が生じる。金属外皮２，３間に充填した樹脂芯材４は自己接着力により金属外皮２（３）の内面に接着するから、上記収縮する樹脂芯材４によると金属外皮２（３）に内側に引っ張るような収縮力が作用する。
【０００４】
山部５が形成されたパネルの箇所では、平板状のパネル基部８の箇所に比べて樹脂芯材４の充填量が多いことからこれに比例して樹脂芯材４の収縮量、ひいては金属外皮２にかかる収縮力が大きくなるのであり、そして、図４のように、金属外皮２で構成される山部５の一対の側面部６は、その前端部分では山部５の前面部９を構成する金属外皮２で連結されているものの、その他の部位では樹脂芯材４を介して対向する関係にあるから、上記樹脂芯材４による収縮力（矢印Ａ）を受けて山部５の突出基部側ほど内方に凹むような変形が生じ易く、結果、厚み方向に建築用パネル１が反り変形してしまう不具合が発生することとなっていた。
【特許文献１】特開２００４−１５０２５９号公報
【発明の開示】
【発明が解決しようとする課題】
【０００５】
本発明は上記の従来の問題点に鑑みて為したものであって、山部を有していても厚み方向への反り変形を生じさせない建築用パネルを提供することを課題とするものである。
【課題を解決するための手段】
【０００６】
上記課題を解決するために本発明の請求項１に係る建築用パネルは、２枚の金属外皮２，３の間に樹脂芯材４を充填すると共に一方の金属外皮２に外方に突出する山部５が形成されて成る建築用パネル１であって、山部５の内側面部と山部５内に充填された樹脂芯材４との間に離型材料７を介装したことを特徴とする。山部５の内側面部に配置した離型材料７によると、山部５の内側面に樹脂芯材４を接着させない状態にでき、つまり冷却、固化する際に収縮する樹脂芯材４による収縮力を山部５の側面部６に作用させないようにできるから、山部５の側面部６に変形を生じさせないようにできるのであり、結果、この山部５の側面部６の変形に起因して発生する建築用パネル１の厚み方向への反り変形を生じさせないようにできる。
【０００７】
また、請求項２に係る建築用パネルは、請求項１において、上記離型材料７を、金属板材７ａで構成したことを特徴とする。これによると、金属板材７ａで構成した離型材料７によって、建築用パネル１に反り変形を生じさせないことに加えて、山部５の側面部６を補強できる。
【０００８】
また、請求項３に係る建築用パネルは、請求項１において、上記離型材料７を、山部５の内側面に塗布した離型剤で構成したことを特徴とする。これによると、離型材料７を構成する離型剤は山部５の内側面の隅々にまで漏れなく塗布することが容易であり、山部５の側面部６と樹脂芯材４とを確実に縁切りできて建築用パネル１の反り変形の防止を確実に図ることができる。
【発明の効果】
【０００９】
本発明は、山部内に充填された樹脂芯材の収縮時の収縮力を金属外皮で構成される山部の側面部に作用させずに、山部の側面部の変形ひいては建築用パネルの厚み方向への反り変形を防止できる、という利点を有する。
【発明を実施するための最良の形態】
【００１０】
以下、本発明を添付図面に示す実施形態に基いて説明する。
【００１１】
本例の建築用パネル１は、屋根パネルや壁パネルとして利用されるものであって、図１のように、パネル前面を構成する金属外皮２とパネル後面を構成する金属外皮３との間に樹脂芯材４を充填して成るサンドイッチ構造に形成されており、平板状のパネル基部８から前方に突出した山部５を備えている。ここで、金属外皮２，３としてはガルバリウム鋼板が、樹脂芯材４としてはポリイソシアヌレートフォームや硬質ポリウレタン等の断熱性能に優れた発泡性樹脂が好適に用いられる。詳しくは、建築用パネル１の一側端部にはパネル接続用の山部５ａが形成されており、他側端部にはパネル前面の金属外皮２を側方に延出して成る被覆片１０が突設されている。被覆片１０の突出先端部と突出基端部には凸状にされた係止部１１がそれぞれ設けられており、山部５の両側面部６の突出基部に形成された凹部１２に上記係止部１１をそれぞれ係止させることで、左右に隣接する建築用パネル１の間で被覆片１０が山部５に被覆した状態で取り付いて、上記隣接する建築用パネル１同士が連結されるようになっている（図２）。また、この建築用パネル１の左右中央部には、上記パネル接続用の山部５ａに被覆片１０を被着した外観と略同じ外観になるような化粧用の山部５ｂが形成されている。この山部５ｂの側面部６の突出基部にも凹部１２が形成されているが、この凹部１２は施工者が建築用パネル１を掴み持って運ぶ際の指の引っ掛け部分として機能する。
【００１２】
詳しくは、山部５は、その表面がパネル前面の金属外皮２で形成されており、内部には樹脂芯材４が充填されている。詳しくは、山部５の両側面部６はパネル基部８の前面から前方に屈曲させた金属外皮２の部位で構成されており、山部５の前面部９は上記側面部６の前端同士間を連結するような金属外皮２の部位で構成されている。そして、この山部５にあっては、山部５の内側面部（山部５の側面部６の内面部分）と、山部５内に充填された樹脂芯材４との間に、離型材料７が介装されている。自己接着力を有した樹脂芯材４はそのままでは金属外皮２の内面に接着してしまうのであるが、離型材料７を所定位置に配置した後に樹脂芯材４を充填させることで、上記離型材料７によって樹脂芯材４と金属外皮２で構成された山部５の側面部６の内面とを非接着状態にさせている。
【００１３】
樹脂芯材４は冷却、固化する際に体積を縮小させるように収縮するのであって、特に山部５が形成されたパネルの箇所では平板状のパネル基部８の箇所に比べて樹脂芯材４の収縮量、その収縮力が大きいのであるが、上記のように離型材料７によって山部５の側面部６の内面に樹脂芯材４を接着しない状態にできたことから、冷却、固化する際に収縮する樹脂芯材４による収縮力を山部５の側面部６に作用させないようにできるのであり、しかして、この山部５の側面部６に変形を生じさせないようにできるのであって、結果、山部５の側面部６の変形に起因して発生する建築用パネル１の厚み方向（前後方向）への反り変形を生じさせないようにできたものである。
【００１４】
ここで、本例の離型材料７としては山部５の側面部６の内面に沿って配置した金属板材７ａで構成させている。樹脂芯材４は山部５の側面部６の内面の代わりに離型材料７としての金属板材７ａに自己接着力によって接着するのであって、収縮した樹脂芯材４はこの離型材料７としての金属板材７ａを変形させるのであるが、上記樹脂芯材４が接着されない山部５の側面部６は変形されないのである。更に言うと、本例の離型材料７としては、金属外皮２で構成した山部５の表面の全内面に沿うように配置した１枚の金属板材７ａが用いられている。つまり、この１枚の金属板材７ａは山部５の外形形状を一廻り小さくしたような形状に形成されている。山部５の側面部６の内面を被覆するには、山部５の側面部６にのみ沿わせて配置した２枚の金属板材７ａを用いることもできるが、本例のように山部５の表面の全内面に沿わせた１枚の金属板材７ａを用いることで、離型材料７を山部５内の所定箇所に簡単に配置できて建築用パネル１の製造性の向上が図られている。無論、この山部５の表面の全内面に沿わせて配置した離型材料７によると、山部５の側面部６はもとより、金属外皮２で構成される山部５の前面部９への樹脂芯材４の接着も防止できるから、樹脂芯材４の収縮に起因する山部５全体の変形防止も図られている。
【００１５】
また、離型材料７に金属板材７ａを用いた場合にはこの金属板材７ａが山部５の補強材としても機能する。パネル接続用の山部５ａには被覆片１０が取り付けられて隣接する建築用パネル１同士の接続が行われるのであって、つまり山部５の側面部６には凹部１２が形成されると共にこの凹部１２に被覆片１０の係止部１１が係止されて建築用パネル１同士の接続強度を確保することとなるので、山部５の側面部６を構成するパネル表面側の金属外皮２には高い剛性強度が必要とされるのであり、そのため従来ではパネル表面側の金属外皮２には特に高い剛性強度が必要とされないパネル後面側の金属外皮３に比べて厚みの厚い金属外皮用板材を用いることも行われていたが、本例のように離型材料７としての金属板材７ａが山部５の側面部６を補強したことによると、山部５の側面部６を構成するパネル表面側の金属外皮２にパネル後面側の金属外皮３と同様の比較的薄い金属外皮用板材を用いることができ、建築用パネル１のコストの低廉化を図ることができる。
【００１６】
また、離型材料７としては樹脂芯材４が密着できない任意の材料を用いることができる。たとえば、離型材料７として離型紙や、油剤やワックス剤などの離型剤を用いることができる。離型材料７としての離型紙や離型剤は先の金属板材７ａに比べてコストが安いという利点があり、また、離型材料７として離型剤を用いた場合には、山部５の内側面（山部５の側面部６を構成する金属外皮２の内面）の隅々にまで漏れなく塗布することが容易であり、山部５の側面部６と樹脂芯材４とを確実に縁切りできて建築用パネル１の反り変形の防止を確実に図ることができるという利点もある。
【図面の簡単な説明】
【００１７】
【図１】本発明の実施の形態の例の建築用パネルの断面斜視図である。
【図２】同上の建築用パネル同士を接続した状態の断面図である。
【図３】従来技術の例の建築用パネルの断面図である。
【図４】同上の建築用パネルの問題点を説明する説明図である。
【符号の説明】
【００１８】
１  建築用パネル
２  金属外皮
３  金属外皮
４  樹脂芯材
５  山部
６  側面部
７  離型材料
７ａ  金属板材
８  パネル基部
９  前面部
１０  被覆片
１１  係止部
１２  凹部
【図１】
2007321424.tif 000003
【図２】
2007321424.tif 000004
【図３】
2007321424.tif 000005
【図４】
2007321424.tif 000006